(57)【要約】【課題】照準後における照準位置のずれを防止することができる望遠鏡、レンズフード及び照準装置を提供する。【解決手段】接眼光学系を備える望遠鏡本体と、この望遠鏡本体に装着された対物レンズ２０の鏡筒２０ａとを備える望遠鏡であって、対物レンズ２０の鏡筒２０ａに回転可能であるとともに、複数の照準位置で停止させる位置決め機構を有する照準部材３１を設けた。【選択図】        図３
2004252020.tif 000002
【特許請求の範囲】
【請求項１】
対物レンズを備えた望遠鏡本体と、
この望遠鏡本体に前記対物レンズの光軸周り又は前記光軸と直交する方向の位置決めをする位置決め機構を介して前記光軸周りへ又は前記光軸と直交する方向へ移動可能に設けられた照準装置と
を備えていることを特徴とする望遠鏡。
【請求項２】
対物レンズを備えた望遠鏡本体に着脱可能なレンズフード本体と、
このレンズフード本体に前記対物レンズの光軸周り又は前記光軸と直交する方向の位置決めをする位置決め機構を介して前記光軸周りへ又は前記光軸と直交する方向へ移動可能に設けられた照準装置と
を備えていることを特徴とする望遠鏡用レンズフード。
【請求項３】
対物レンズを備えた望遠鏡本体に着脱可能な照準装置本体と、
この照準装置本体に前記対物レンズの光軸周り又は前記光軸と直交する方向の位置決めをする位置決め機構を介して前記光軸周りへ又は前記光軸と直交する方向へ移動可能に設けられた照準部材と
を備えていることを特徴とする望遠鏡用照準装置。
【発明の詳細な説明】
【０００１】
【発明の属する技術分野】
この発明は望遠鏡、望遠鏡用レンズフード及び望遠鏡用照準装置に関する。
【０００２】
【従来の技術】
従来、望遠鏡は、接眼光学系を有する望遠鏡本体と、この望遠鏡本体に装着された対物レンズとを備えている。
【０００３】
対物レンズにはレンズを保護し、逆光時の乱反射や、レンズに雨滴が付着しないようにレンズフードが取り付けられている。
【０００４】
レンズフードは前後方向へ移動可能であるとともに、回転可能である。
【０００５】
このレンズフードに照準装置を取り付け、レンズフードを回転させることによって照準位置を変えることができるようにした望遠鏡がある。
【０００６】
【非特許文献】
ニコンフィールドスコープ総合カタログ  株式会社ニコンビジョン、２００１．６．２０、Ｐ．１−８
【０００７】
【発明が解決しようとする課題】
しかし、上記レンズフードに照準装置を取り付けた望遠鏡の場合、レンズフードは摩擦抵抗によって対物レンズ鏡筒に保持されているため、照準後に例えば望遠鏡に加わった衝撃等によってレンズフードが回転し、照準位置がずれて観察する目標物を見失ってしまうという問題があった。
【０００８】
この発明はこのような事情に鑑みてなされたもので、その課題は照準後における照準位置のずれを防止することができる望遠鏡、望遠鏡用レンズフード及び望遠鏡用照準装置を提供することである。
【０００９】
【課題を解決するための手段】
前述の課題を解決するため請求項１記載の発明は、対物レンズを備えた望遠鏡本体と、この望遠鏡本体に前記対物レンズの光軸周り又は前記光軸と直交する方向の位置決めをする位置決め機構を介して前記光軸周りへ又は前記光軸と直交する方向へ移動可能に設けられた照準装置とを備えていることを特徴とする。
【００１０】
請求項２記載の発明は、対物レンズを備えた望遠鏡本体に着脱可能なレンズフード本体と、このレンズフード本体に前記対物レンズの光軸周り又は前記光軸と直交する方向の位置決めをする位置決め機構を介して前記光軸周りへ又は前記光軸と直交する方向へ移動可能に設けられた照準装置とを備えていることを特徴とする。
【００１１】
請求項３記載の発明は、対物レンズを備えた望遠鏡本体に着脱可能な照準装置本体と、この照準装置本体に前記対物レンズの光軸周り又は前記光軸と直交する方向の位置決めをする位置決め機構を介して前記光軸周りへ又は前記光軸と直交する方向へ移動可能に設けられた照準部材とを備えていることを特徴とする。
【００１２】
【発明の実施の形態】
以下この発明の実施の形態を図面に基づいて説明する。
【００１３】
図１はこの発明の第１実施形態に係る望遠鏡の斜視図である。
【００１４】
この望遠鏡は、望遠鏡本体１０と、レンズフード３０とを備える。
【００１５】
望遠鏡本体１０の一端には接眼レンズ１２があり、他端には対物レンズ２０がある。
【００１６】
望遠鏡本体１０の下部にはアダプタを介して図示しない三脚に望遠鏡を取り付けるための台座１３が設けられている。
【００１７】
更に、望遠鏡本体１０にはピント合わせのためのピントリング１４が回転可能に配置されている。
【００１８】
対物レンズ２０の先端部にはレンズを保護し、逆光時の乱反射や、対物レンズへの雨滴の付着を防止する機能（フード機能という）を有するレンズフード３０が一体的に取り付けられている。
【００１９】
レンズフード３０は前後方向へ移動可能であるとともに、回転可能である。
【００２０】
レンズフード３０の外周面には１つの照準部材３１が形成されている。照準部材３１は例えば光軸方向へ延びるＵ字形断面の長溝で形成される。なお、照準部材３１の数は１つに限るものではなく、１つ以上であればよい。
【００２１】
図２はレンズフードの断面図である。
【００２２】
レンズフード３０にはレンズフード３０を複数の照準位置で停止させるクリックストップ機構（位置決め機構）が設けられている。
【００２３】
クリックストップ機構はレンズフード３０の内周面に形成された半球状の凸部３２と対物レンズ２０の鏡筒２０ａの外周面に所定角度おきに複数箇所（図２では８箇所）に形成された溝２１とで構成されている。溝２１が形成される対物レンズ２０の鏡筒２０ａの外周面は光軸に平行な平面２２となっている。
【００２４】
なお、半球状の凸部３２に代えてボールとこのボールを光軸方向へ付勢するスプリングとを用いるようにしてもよい。また、溝２１に代えて孔を形成してもよい。
【００２５】
また、溝２１と凸部３２との嵌合に代えて、例えば鏡筒２０ａの外周面に摩擦力が大きくなる部分を一定間隔で配置する構成としてもよい。
【００２６】
照準位置を変えるとき、レンズフード３０を凸部３２が別の溝２２に落ち込むまで所定方向へ回転させればよい。
【００２７】
図３はレンズフードの断面図である。
【００２８】
レンズフード３０の内周面と対物レンズ２０の鏡筒２０ａの外周面との間にはフェルト（又は布）３５，３６が配置されている。
【００２９】
フェルト３５はレンズフード３０の後端部（図３の右側）の内周面に貼り付けられ、フェルト３６は対物レンズ２０の鏡筒２０ａの先端部（図３の左側）の外周面に貼り付けられている。
【００３０】
フェルト３５，３６によってレンズフード３０と対物レンズ２０の鏡筒２０ａとの間に適当な摩擦抵抗を生じさせることができるため、レンズフード３０を適当な手応えでもってスムーズに前後方向へ移動させることができるとともに、レンズフード３０を適当な手応えでもってスムーズに回転させることができる。
【００３１】
この第１実施形態によれば、照準後に例えば望遠鏡に衝撃等が加わった場合であってもクリックストップ機構によってレンズフード３０の回転が阻止されるため、照準位置のずれが防止され、観察する目標物を見失ってしまうことがない。
【００３２】
なお、上記実施形態ではレンズフード３０を対物レンズ２０の鏡筒２０ａに一体的に取り付けたが、この構成に限るものではなく、例えば別体のレンズフードを対物レンズ２０の鏡筒２０ａに後付けするようにしてもよい。
【００３３】
また、上記実施形態ではレンズフード３０に照準部材３１を形成したが、レンズフード３０と別体のフード機能を持たないが照準機能を有する環状部材（照準装置）を対物レンズ２０の鏡筒２０ａ等に取り付けるようにしてもよい。
【００３４】
図４はこの発明の第２実施形態に係る望遠鏡の斜視図であり、第１実施形態と共通する部分には同一符号を付してその説明を省略する。
【００３５】
この実施形態は照準を光軸と直交する方向へ移動させるようにした点で第１実施形態と相違する。
【００３６】
照準部材１３１は例えば光軸方向へ延びるＵ字形断面の長溝１３２を有する。照準部材１３１は対物レンズ２０の鏡筒２０ａの先端部に取り付けられた照準装置本体１３５の上面に光軸と直交する方向へ移動可能に設けられている。
【００３７】
照準装置本体１３５の上面には照準部材１３１を複数の照準位置で停止させるクリックストップ機構が設けられている。
【００３８】
クリックストップ機構は例えば照準部材１３１の下面に形成された半球状の凸部（図示せず）と照準装置本体１３５の上面に所定角度おきに複数箇所に形成された凹部１３６とで構成されている。
【００３９】
照準位置を変えるとき、照準部材１３１の凸部を別の凹部１３６に落ち込むまで移動させればよい。
【００４０】
なお、この発明において、「光軸と直交する方向」とは図４に示すように照準装置本体１３５の上面に平行な方向だけでなく、照準装置本体１３５の上面に直交する方向や照準装置本体１３５の上面と斜めに交差する方向を含む。
【００４１】
この第２実施形態によれば、第１実施形態と同様の効果を奏する。
【００４２】
【発明の効果】
以上に説明したようにこの発明の望遠鏡、レンズフード及び照準装置によれば、照準後における照準位置のずれを防止することができる。
【図面の簡単な説明】
【図１】図１はこの発明の第１実施形態に係る望遠鏡の斜視図である。
【図２】図２はレンズフードの縦断面図である。
【図３】図３はレンズフードの横断面図である。
【図４】図４はこの発明の第２実施形態に係る望遠鏡の斜視図である。
【符号の説明】
１０  望遠鏡本体
２０  対物レンズ
３０  レンズフード
３１，１３１  照準部材
１３５  照準装置本体
【図１】
2004252020.tif 000003
【図２】
2004252020.tif 000004
【図３】
2004252020.tif 000005
【図４】
2004252020.tif 000006